(57)【要約】【課題】鋼製間仕切り壁の交差部の取り付けを行う上で、部材コストの低減および施工性の向上を図り、さらに鋼製間仕切り壁の構造強度も維持することが可能な、鋼製間仕切り壁の取り付け構造を提供することにある。【解決手段】第１，２の壁１，２が平面Ｌ字状の交差部を有する鋼製間仕切り壁Ｍの構造であって、第１の壁１はその端部に配置された第１鋼製間柱３と、その外側に位置する第１面材５と、第１鋼製間柱３の内側に位置する第２面材６とを備え、第２の壁２はその端部に配置された第２鋼製間柱４と、その外側に位置する第３面材７と、第２鋼製間柱４の内側に位置する第４面材８とを備え、第１面材５は第３面材７に対して出隅の関係で接合され、第２面材６は第３面材７に突き当たる形態で接合され、第４面材８は第２面材６に突き当たる形態で接合されている。【選択図】      図３
2004156404.tif 000002
【特許請求の範囲】
【請求項１】
第１の壁と第２の壁が平面Ｌ字状に交差する交差部を有する鋼製間仕切り壁の構造であって、天井側に固定される上部ランナーと、床側に固定される下部ランナーと、それら上部ランナー及び下部ランナー間に立設される複数の角筒状の鋼製間柱と、前記各鋼製間柱の両側面および前記ランナーの両側面を覆う複数の面材と、各面材を前記鋼製間柱にそれぞれ固定する固定部材とを備え、
前記第１の壁はその端部に配置された第１鋼製間柱と、その第１鋼製間柱の外側に位置する第１面材と、第１鋼製間柱の内側に位置する第２面材とを備え、
前記第２の壁はその端部に配置された第２鋼製間柱と、その第２鋼製間柱の外側に位置する第３面材と、第２鋼製間柱の内側に位置する第４面材とを備え、
前記第１面材は前記第３面材に対して出隅の関係で接合され、前記第２面材は前記第３面材に突き当たる形態で接合され、前記第４面材は前記第２面材に突き当たる形態で接合されていることを特徴とする鋼製間仕切りの取り付け構造。
【請求項２】
第１の壁と第２の壁と第３の壁が平面Ｔ字状に交差する交差部を有する鋼製間仕切り壁の構造であって、天井側に固定される上部ランナーと、床側に固定される下部ランナーと、それら上部ランナー及び下部ランナー間に立設される複数の角筒状の鋼製間柱と、前記各鋼製間柱の両側面および前記ランナーの両側面を覆う複数の面材と、各面材を前記鋼製間柱にそれぞれ固定する固定部材とを備え、
前記第１の壁はその端部に配置された第１鋼製間柱と、その第１鋼製間柱の両側に位置する第１面材および第２面材とを備え、
前記第２の壁はその端部に配置された第２鋼製間柱と、その第２鋼製間柱の外側に位置する第３面材と、第２鋼製間柱の内側に位置する第４面材とを備え、
前記第３の壁はその端部に配置された第３鋼製間柱と、その第３鋼製間柱の外側に位置する第５面材と、第３鋼製間柱の内側に位置する第６面材とを備え、
前記第１面材は前記第５面材に突き当たる形態で接合され、前記第２面材は前記第３面材に突き当たる形態で接合され、前記第４面材は前記第２面材に突き当たる形態で接合され、前記第６面材は前記第１面材に突き当たる形態で接合され、前記第３面材と前記第５面材は結合されていることを特徴とする鋼製間仕切りの取り付け構造。
【請求項３】
第１の壁と第２の壁と第３の壁が平面十字状に交差する交差部を有する鋼製間仕切り壁の構造であって、天井側に固定される上部ランナーと、床側に固定される下部ランナーと、それら上部ランナー及び下部ランナー間に立設される複数の角筒状の鋼製間柱と、前記各鋼製間柱の両側面および前記ランナーの両側面を覆う複数の面材と、各面材を前記鋼製間柱にそれぞれ固定する固定部材とを備え、
前記第１の壁は前記交差部に配置された第１鋼製間柱と、その第１鋼製間柱の両側に位置する第１面材および第２面材とを備え、
前記第２の壁はその端部に配置された第２鋼製間柱と、その第２鋼製間柱の両側に位置する第３面材および第４面材とを備え、
前記第３の壁はその端部に配置された第３鋼製間柱と、その第３鋼製間柱の両側に位置する第５面材および第６面材とを備え、
前記第３面材および第４面材は前記第１面材に突き当たる形態で接合され、前記第５面材および第６面材は前記第１面材に突き当たる形態で接合されていることを特徴とする鋼製間仕切りの取り付け構造。
【請求項４】
請求項１〜３記載の鋼製間仕切りの取り付け構造において、前記上部ランナーおよび下部ランナーはウェブおよびフランジを有する溝型鋼により形成され、前記フランジ間に前記鋼製間柱の端部が入り込む切り欠き部が形成されていることを特徴とする鋼製間仕切りの取り付け構造。
【請求項５】
請求項２または３記載の鋼製間仕切りの取り付け構造において、前記鋼製間柱間に挟まれて配置される面材は、何れか一方の前記鋼製間柱に予め固定された状態で配置されることを特徴とする鋼製間仕切りの取り付け構造。
【請求項６】
第１の壁と第２の壁が平面Ｌ字状に交差する交差部を有する鋼製間仕切り壁の構造であって、天井側に固定される上部ランナーと、床側に固定される下部ランナーと、それら上部ランナー及び下部ランナー間に立設される複数の角筒状の鋼製間柱と、前記各鋼製間柱の側面および前記ランナーの側面を覆う複数の面材と、各面材を前記鋼製間柱にそれぞれ固定する固定部材とを備え、前記第１の壁はその端部に配置された第１鋼製間柱と、その第１鋼製間柱の外側に位置する第１面材と、第１鋼製間柱の内側に位置する第２面材とを備え、前記第２の壁はその端部に配置された第２鋼製間柱と、その第２鋼製間柱の外側に位置する第３面材と、第２鋼製間柱の内側に位置する第４面材とを備え、前記交差部には、前記第１鋼製間柱と前記第２鋼製間柱とが前記交差部において側面同士を接合する形態で配置され、前記第１面材は前記第３面材に対して入り隅又は出隅の関係で接合され、前記第２面材は前記第４面材に対して入り隅又は出隅の関係で接合されていることを特徴とする鋼製間仕切りの取り付け構造。
【請求項７】
第１の壁と第２の壁が平面Ｌ字状に交差する交差部を有する鋼製間仕切り壁の構造であって、天井側に固定される上部ランナーと、床側に固定される下部ランナーと、それら上部ランナー及び下部ランナー間に立設される複数の角形間柱と、前記各間柱の側面および前記ランナーの側面を覆う複数の面材と、各面材を前記間柱にそれぞれ固定する固定部材とを備え、前記交差部には木製間柱が配置され、前記第１の壁は前記木製間柱の外側に位置する第１面材と、木製間柱の内側に位置する第２面材とを備え、前記第２の壁は前記木製間柱の外側に位置する第３面材と、木製間柱の内側に位置する第４面材とを備え、前記第２面材及び第４面材は木製間柱に添わせた当て木に固定されていることを特徴とする鋼製間仕切りの取り付け構造。
【請求項８】
第１の壁と第２の壁と第３の壁が平面Ｔ字状に交差する交差部を有する鋼製間仕切り壁の構造であって、天井側に固定される上部ランナーと、床側に固定される下部ランナーと、それら上部ランナー及び下部ランナー間に立設される複数の角筒状の鋼製間柱と、前記各鋼製間柱の側面および前記ランナーの側面を覆う複数の面材と、各面材を前記鋼製間柱にそれぞれ固定する固定部材とを備え、前記第１の壁はその端部に配置された当て木と、その当て木の両側に位置する第１面材および第２面材とを備え、前記第２の壁はその端部に配置された第１鋼製間柱と、その第１鋼製間柱の外側に位置する第３面材と、第１鋼製間柱の内側に位置する第４面材とを備え、前記第３の壁はその端部に配置された第２鋼製間柱と、その第２鋼製間柱の外側に位置する第５面材と、２３鋼製間柱の内側に位置する第６面材とを備え、前記第４面材は前記第１鋼製間柱に添わせた当て木に固定され、前記第６面材は前記第２鋼製間柱に添わせた当て木に固定されていることを特徴とする鋼製間仕切りの取り付け構造。
【請求項９】
第１の壁と第２の壁と第３の壁が平面Ｔ字状に交差する交差部を有する鋼製間仕切り壁の構造であって、天井側に固定される上部ランナーと、床側に固定される下部ランナーと、それら上部ランナー及び下部ランナー間に立設される複数の角形間柱と、前記各間柱の側面および前記ランナーの側面を覆う複数の面材と、各面材を前記間柱にそれぞれ固定する固定部材とを備え、前記交差部には木製間柱が配置され、前記第１の壁はその端部に配置された当て木と、その当て木の両側に位置する第１面材および第２面材とを備え、前記第２の壁は前記木製間柱の外側に位置する第３面材と、木製間柱の内側に位置する第４面材とを備え、前記第３の壁は前記木製間柱の外側に位置する第５面材と、木製間柱の内側に位置する第６面材とを備え、前記第４面材及び第６面材はそれぞれ木製間柱に添わせた当て木に固定されていることを特徴とする鋼製間仕切りの取り付け構造。
【発明の詳細な説明】
【０００１】
【発明の属する技術分野】
本発明は、壁同士が交差する交差部を有する鋼製間仕切りの取り付け構造に関する。
【０００２】
【背景の技術】
従来から、住宅等の建物には内部空間を区画する間仕切り壁が設けられている。木製の間仕切り壁は、予め工場等で各芯材を枠状に組んでパネル化し、作業現場に輸送した後、間仕切りパネルを部屋内に組み付ける方法などがあある。鋼製の間仕切り壁においては、天井及び床側に、開口部が互いに向き合う配置とした溝型状の一対のランナーと、そのランナー間を支持する鋼製間柱をビス等により接合させ、それらの表面に石膏ボード等の面材を貼り付けて間仕切り壁とする方法などがある。いずれの場合においても、作業現場での施工工程を簡便にするという利点があった。
【０００３】
この鋼製間仕切り壁を施工する際は、居室内の区画に応じて組み立てるため、ランナー同士を接合することになる。例えば、居室のコーナーに当たる部分などは、各ランナーが接合されて形成されている。図１６〜１８に各ランナーの接合部の構造を示す。図１６は平面Ｌ字状の接合部を示しており、天井側に固定された天井ランナー（図示しない）と床側に固定された床ランナー５０，６０の間には、４本のスタッド（角柱）５９が立設されている。床ランナー５０，６０が交差する部分、すなわち接合部は、鋼製間仕切り壁を支持する部分である。さらに、この鋼製間仕切り壁の表面に石膏ボード５１〜５４を釘８０で固定している。
【０００４】
また、図１７は平面Ｔ字状の接合部を示しており、図１８は平面十字状の接合部を示している。これらの図において、天井側に固定された天井ランナー（図示しない）と床側に固定された床ランナー５０，６０の間には、５本（図１７）または６本（図１８）のスタッド５９が立設され、鋼製間仕切り壁の表面に石膏ボード５１〜５５（図１７）または５１〜５８（図１８）を釘８０で固定している。このような形態にすることで、鋼製間仕切り壁の構造強度を保つことが可能になる。
【０００５】
【発明が解決しようとする課題】
しかしながら、上述した従来例では２つの問題点があった。第１の問題点はコスト高になることである。つまり、強度を保った上で各ランナーとスタッド、および石膏ボードをそれぞれ接合するには、スタッドを隣接して配置しなければならなかった。そのため強度が保たれている場合でも、便宜上、必要以上のスタッドを配置することになっていた。
【０００６】
第２の問題点としては、現場での作業手間が頓雑になることである。これは第１の問題点と関連するが、スタッドの配置数が多いほど作業工程が増えていくので、施工効率の低下を招くことになる。また、それに伴い必要な人員も増加される場合もある。従って、ランナーの接合部に必要強度を保つことができるスタッドを配置しても、施工性の向上およびコスト低減を図ることが可能であることが望ましい。
【０００７】
本発明は、鋼製間仕切り壁の交差部の取り付けを行う上で、部材コストの低減および施工性の向上を図り、さらに鋼製間仕切り壁の構造強度も維持することが可能な、鋼製間仕切り壁の取り付け構造を提供することにある。
【０００８】
【課題を解決するための手段】
本発明は、第１の壁と第２の壁が平面Ｌ字状に交差する交差部を有する鋼製間仕切り壁の構造であって、天井側に固定される上部ランナーと、床側に固定される下部ランナーと、それら上部ランナー及び下部ランナー間に立設される複数の角筒状の鋼製間柱と、各鋼製間柱の両側面およびランナーの両側面を覆う複数の面材と、各面材を鋼製間柱にそれぞれ固定する固定部材とを備え、第１の壁はその端部に配置された第１鋼製間柱３と、その第１鋼製間柱の外側に位置する第１面材５と、第１鋼製間柱の内側に位置する第２面材６とを備え、第２の壁はその端部に配置された第２鋼製間柱４と、その第２鋼製間柱の外側に位置する第３面材７と、第２鋼製間柱の内側に位置する第４面材８とを備え、第１面材５は第３面材７に対して出隅の関係で接合され、第２面材６は第３面材７に突き当たる形態で接合され、第４面材８は第２面材６に突き当たる形態で接合されている構造とした。
【０００９】
このような本発明によれば、平面Ｌ字状の交差部を有する間仕切り壁の強度を維持した上で、鋼製間柱の配置数を減らし、部材コスト減を図ることが可能になる。さらに、鋼製間柱の配置数を減らすことにより施工工程も簡略化され、施工性の向上および工期の短縮も図ることができる。具体的には、第１の壁と第２の壁が平面Ｌ字状に交差する、交差部に配置された第１鋼製間柱と第２鋼製間柱の間に、第２面材を第３面材に突き当たるように差し込む。第２面材は鋼製間柱の代わりとなり、鋼製間仕切り壁を支持する形態とすることができる。
【００１０】
また、本発明は、第１の壁と第２の壁と第３の壁が平面Ｔ字状に交差する交差部を有する鋼製間仕切り壁の構造であって、天井側に固定される上部ランナーと、床側に固定される下部ランナーと、それら上部ランナー及び下部ランナー間に立設される複数の角筒状の鋼製間柱と、各鋼製間柱の両側面およびランナーの両側面を覆う複数の面材と、各面材を鋼製間柱にそれぞれ固定する固定部材とを備え、第１の壁はその端部に配置された第１鋼製間柱１４と、その第１鋼製間柱の両側に位置する第１面材１７および第２面材１８とを備え、第２の壁はその端部に配置された第２鋼製間柱１５と、その第２鋼製間柱の外側に位置する第３面材１９と、第２鋼製間柱の内側に位置する第４面材２０とを備え、第３の壁はその端部に配置された第３鋼製間柱１６と、その第３鋼製間柱の外側に位置する第５面材２１と、第３鋼製間柱の内側に位置する第６面材２２とを備え、第１面材１７は第５面材２１に突き当たる形態で接合され、第２面材１８は第３面材１９に突き当たる形態で接合され、第４面材２０は第２面材１８に突き当たる形態で接合され、第６面材２２は第１面材１７に突き当たる形態で接合され、第３面材１９と第５面材２１は結合されている構造とした。
【００１１】
このように構成した場合、平面Ｔ字状の交差部を有する間仕切り壁の強度を維持した上で、鋼製間柱の配置数を減らし、部材コスト減を図ることが可能になる。さらに、鋼製間柱の配置数を減らすことにより施工工程も簡略化され、施工性の向上および工期の短縮も図ることができる。
【００１２】
具体的には、第１〜３の壁が平面Ｔ字状に交差する交差部に配置された第１〜３鋼製間柱のうち、第１鋼製間柱と第２鋼製間柱の間に第２面材を、第３面材に突き当たるように差し込み、第１鋼製間柱と第３鋼製間柱の間に第１面材を、第５面材に突き当たるように差し込む形態とする。
【００１３】
すなわち、第１面材と第２面材が支持材としての機能をもつとともに、横一直線状に配置された各鋼製間柱と、それらを互いに固定する第１，２面材によって一体化され、一定の強度を保った鋼製間仕切り壁構造とすることができる。
【００１４】
更に、本発明は、第１の壁と第２の壁と第３の壁が平面十字状に交差する交差部を有する鋼製間仕切り壁の構造であって、天井側に固定される上部ランナーと、床側に固定される下部ランナーと、それら上部ランナー及び下部ランナー間に立設される複数の角筒状の鋼製間柱と、各鋼製間柱の両側面およびランナーの両側面を覆う複数の面材と、各面材を鋼製間柱にそれぞれ固定する固定部材とを備え、第１の壁は交差部に配置された第１鋼製間柱３４と、その第１鋼製間柱の両側に位置する第１面材３７および第２面材３８とを備え、第２の壁はその端部に配置された第２鋼製間柱３５と、その第２鋼製間柱の両側に位置する第３面材３９および第４面材４０とを備え、第３の壁はその端部に配置された第３鋼製間柱３６と、その第３鋼製間柱の両側に位置する第５面材４１および第６面材４２とを備え、第３面材３９、第４面材４０は第１面材３７に突き当たる形態で接合され、第５面材４１および第６面材４２は第１面材３７に突き当たる形態で接合されている構造とした。
【００１５】
このように構成した場合、平面十字状の交差部を有する間仕切り壁の強度を維持した上で、鋼製間柱の配置数を減らし、部材コスト減を図ることが可能になる。さらに、鋼製間柱の配置数を減らすことにより施工工程も簡略化され、施工性の向上および工期の短縮も図ることができる。
【００１６】
具体的には、第１の壁と第２に壁が平面十字状に交差する交差部に配置された第１〜３鋼製間柱のうち、第１鋼製間柱と第２鋼製間柱の間に第２面材を設け、第１鋼製間柱と第３鋼製間柱の間に第１面材を設ける。すなわち、横一直線状に配置された各鋼製間柱と、それらを互いに固定する第１，２面材によって、一定の強度を保つ鋼製間仕切り壁構造とすることができる。
【００１７】
前記上部ランナーおよび下部ランナーはウェブおよびフランジを有する溝型鋼により形成され、フランジ間に鋼製間柱の端部が入り込む切り欠き部が形成されていることが望ましい。このように形成した場合、各ランナーに鋼製間柱を立設する際の施工性が向上する。すなわち、各ランナーは溝型状であるため、それらの間に鋼製間柱を立設する際は、上部ランナーまたは下部ランナーのどちらかを先に立設してから固定することになるが、側面を切り欠き状にすることで、鋼製間柱を横からスライドさせ立設させることが可能となり、作業を容易にすることができる。
【００１８】
前記鋼製間柱間に挟まれて配置される面材は、何れか一方の鋼製間柱に予め固定された状態で配置されることが望ましい。このようにした場合、交差部の内側に面材を配置する場合でも容易に固定できるため施工性が向上する。すなわち、面材と鋼製間柱はビス等で固定されるが、交差部の内側に位置する各鋼製間柱間に面材を差し込む際は、後からビス等で固定することが困難であったが、それらを予め固定してから配置することで面材と鋼製間柱を容易かつ確実に固定することが可能になる。
【００１９】
本発明では、第１の壁と第２の壁が平面Ｌ字状に交差する交差部を有する鋼製間仕切り壁の構造であって、天井側に固定される上部ランナーと、床側に固定される下部ランナーと、それら上部ランナー及び下部ランナー間に立設される複数の角筒状の鋼製間柱と、前記各鋼製間柱の側面および前記ランナーの側面を覆う複数の面材と、各面材を前記鋼製間柱にそれぞれ固定する固定部材とを備え、前記第１の壁はその端部に配置された第１鋼製間柱３と、その第１鋼製間柱の外側に位置する第１面材５と、第１鋼製間柱の内側に位置する第２面材６とを備え、前記第２の壁はその端部に配置された第２鋼製間柱４と、その第２鋼製間柱の外側に位置する第３面材７と、第２鋼製間柱の内側に位置する第４面材８とを備え、前記交差部には、前記第１鋼製間柱３と前記第２鋼製間柱４とが前記交差部において側面同士を接合する形態で配置され、前記第１面材５は前記第３面材７に対して入り隅又は出隅の関係で接合され、前記第２面材６は前記第４面材８に対して入り隅又は出隅の関係で接合されている構成とすることもできる。
【００２０】
また、第１の壁と第２の壁が平面Ｌ字状に交差する交差部を有する鋼製間仕切り壁の構造であって、天井側に固定される上部ランナーと、床側に固定される下部ランナーと、それら上部ランナー及び下部ランナー間に立設される複数の角形間柱と、前記各間柱の側面および前記ランナーの側面を覆う複数の面材と、各面材を前記間柱にそれぞれ固定する固定部材とを備え、前記交差部には木製間柱９０が配置され、前記第１の壁は前記木製間柱９０の外側に位置する第１面材５と、木製間柱の内側に位置する第２面材６とを備え、前記第２の壁は前記木製間柱の外側に位置する第３面材７と、木製間柱の内側に位置する第４面材８とを備え、前記第２面材６及び第４面材８は木製間柱９０に添わせた当て木９１に固定されている構成とすることもできる。
【００２１】
本発明では、第１の壁と第２の壁と第３の壁が平面Ｔ字状に交差する交差部を有する鋼製間仕切り壁の構造であって、天井側に固定される上部ランナーと、床側に固定される下部ランナーと、それら上部ランナー及び下部ランナー間に立設される複数の角筒状の鋼製間柱と、前記各鋼製間柱の側面および前記ランナーの側面を覆う複数の面材と、各面材を前記鋼製間柱にそれぞれ固定する固定部材とを備え、前記第１の壁はその端部に配置された当て木９１と、その当て木の両側に位置する第１面材１７および第２面材１８とを備え、前記第２の壁はその端部に配置された第１鋼製間柱１４と、その第１鋼製間柱１４の外側に位置する第３面材１９と、第１鋼製間柱の内側に位置する第４面材２０とを備え、前記第３の壁はその端部に配置された第２鋼製間柱１５と、その第２鋼製間柱の外側に位置する第５面材２１と、第２鋼製間柱の内側に位置する第６面材２２とを備え、前記第４面材２０は第１鋼製間柱１４に添わせた当て木９１に固定され、前記第６面材２２は第２鋼製間柱１５に添わせた当て木に固定されている構成とすることもできる。
【００２２】
また、第１の壁と第２の壁と第３の壁が平面Ｔ字状に交差する交差部を有する鋼製間仕切り壁の構造であって、天井側に固定される上部ランナーと、床側に固定される下部ランナーと、それら上部ランナー及び下部ランナー間に立設される複数の角形間柱と、前記各間柱の側面および前記ランナーの側面を覆う複数の面材と、各面材を前記間柱にそれぞれ固定する固定部材とを備え、前記交差部には木製間柱９０が配置され、前記第１の壁はその端部に配置された当て木９１と、その当て木の両側に位置する第１面材１７および第２面材１８とを備え、前記第２の壁は前記木製間柱９０の外側に位置する第３面材１９と、木製間柱の内側に位置する第４面材２０とを備え、前記第３の壁は前記木製間柱の外側に位置する第５面材２１と、木製間柱の内側に位置する第６面材２２とを備え、前記第４面材２０及び第６面材２２はそれぞれ木製間柱９０に添わせた当て木９１に固定されている構成とすることもできる。
【００２３】
【発明の実施の形態】
以下、本発明の第１実施形態について、図面を参照して説明する。
図１〜３は本発明に係る鋼製間仕切り壁のＬ字状接合部の接合工程を示す平面図である。
この実施の形態では、本発明を住宅に適用した例を示す。
【００２４】
図１〜３に示す鋼製間仕切り壁Ｍは、住宅の居室空間を区画する間仕切りとして適用される。この鋼製間仕切り壁Ｍは、工場等にて所定の寸法に加工された上下のランナーと鋼製間柱、および石膏ボード等の各部材を作業現場へ輸送した後、所定の箇所に配置して施工される。第１実施形態では、居室のコーナー部に位置する箇所に鋼製間仕切り壁Ｍを配置する際、鋼製間仕切り壁Ｍが平面Ｌ字状に交差する部分の接合形態の実施例を示す。
【００２５】
図１〜３に示すように、平面Ｌ字状に交差された鋼製間仕切り壁Ｍは、ウェブＷおよびフランジＦからなる溝型状の鋼製ランナー１，２と、鋼製ランナー１，２間に立設される角筒状の鋼製間柱３，４と、各鋼製間柱３，４の両側面および鋼製ランナー１，２の両側のフランジＦを覆う複数の石膏ボード５〜８と、各石膏ボード５〜８を鋼製間柱３，４にそれぞれ固定するビスや釘等７０（以下、固定部材７０）とによって構成されている。
【００２６】
施工手順としては、天井側（図示しない）および床側に鋼製ランナー１，２をそれぞれ固定し、鋼製ランナー２の端部に鋼製間柱４を立設する。鋼製ランナー１，２間には石膏ボード６を挟み込み、鋼製間柱４と固定部材７０で接合する。さらに、鋼製ランナー２の内側に石膏ボード８を石膏ボード６に突き当てて配置し、鋼製間柱４と固定部材７０で接合する。
【００２７】
次に、鋼製ランナー１の端部に鋼製間柱３を立設する。鋼製間柱３は、鋼製ランナー１の外側に配置した石膏ボード５と固定部材７０で接合する。この石膏ボード５は石膏ボード７と出隅の関係になっている。最後に鋼製ランナー１，２を差し渡して配置した石膏ボード７を、各鋼製間柱３，４と固定部材７０で接合する。以上のような施工手順により、平面Ｌ字状の交差部を有する第１の壁Ａと第２の壁Ｂ（図３）が形成される。
【００２８】
従って、鋼製間柱３と鋼製間柱４の間に、石膏ボード６が差し込まれていることで、石膏ボード６が支持材として機能する。このため、従来例（図１６）と比較すると、交差部に４本のスタッド５９を配置していたのに対し、２本の鋼製間柱で形成することができる。つまり、鋼製間仕切り壁Ｍの強度を維持した上で、鋼製間柱の配置数を減らし、部材コスト減を図ることが可能になる。さらに、鋼製間柱の配置数を減らすことにより施工工程も簡略化され、施工性の向上および工期の短縮も図ることができる。
【００２９】
また、図１１に示すように、鋼製ランナー２は上述したように溝型状であり、鋼製ランナー２の片側の端部が切り欠き状に形成されている。このように形成することで、フランジＦ間に鋼製間柱４の端部を切り欠き部Ｄからスライドさせて立設することが可能となり、施工工程の簡略化を図ることができる。この実施形態では鋼製ランナー２および鋼製間柱４を例として用いたが、鋼製ランナー１や鋼製間柱３においても同様の形態とすることが可能である。
【００３０】
次に、本発明の第２実施形態を示す。図４〜７は本発明に係る鋼製間仕切り壁のＴ字状接合部の接合工程を示す平面図である。第２実施形態では、居室間を区画する箇所に鋼製間仕切り壁Ｍを配置する際、鋼製間仕切り壁Ｍが平面Ｔ字状に交差する部分の接合形態の実施例を示す。
【００３１】
図４〜７に示す平面Ｔ字状に交差された鋼製間仕切り壁Ｍは、ウェブＷおよびフランジＦからなる溝型状の鋼製ランナー１１〜１３と、鋼製ランナー１１〜１３間に立設される角筒状の鋼製間柱１４〜１６と、各鋼製間柱１４〜１６の両側面および鋼製ランナー１１〜１３の両側のフランジＦを覆う複数の石膏ボード１７〜２２と、各石膏ボード１７〜２２を鋼製間柱１４〜１６にそれぞれ固定する固定部材７０とによって構成されている。
【００３２】
施工手順としては、天井側（図示しない）および床側に鋼製ランナー１１〜１３をそれぞれ固定し、鋼製間柱１４を鋼製ランナー１１の端部に立設する。鋼製間柱１４の片側に石膏ボード１７を固定部材７０で接合する。次に、鋼製ランナー１３の端部に設けた鋼製間柱１６を石膏ボード１７と固定部材７０にて接合する。さらに、鋼製間柱１５と石膏ボード１８を固定部材７０で接合してから、図６のように鋼製ランナー１２の端部と鋼製間柱１４との間に配置する。
【００３３】
最後に、石膏ボード１９，２０を鋼製間柱１５に、石膏ボード２１，２２を鋼製間柱１６にそれぞれ固定部材７０で接合する。また、石膏ボード１７は石膏ボード２１と、石膏ボード１８は石膏ボード１９と、石膏ボード２０は石膏ボード１８と、石膏ボード２２は石膏ボード１７と、それぞれ突き当たる形態となっている。石膏ボード１９と石膏ボード２１は１枚で形成され、鋼製ランナー１２，１３と鋼製間柱１４〜１６とを一体的に結合している。以上のような施工手順により、平面Ｔ字状の交差部に第１の壁Ａと第２の壁Ｂと第２の壁Ｃ（図７）が形成される。
【００３４】
従って、石膏ボード１７と石膏ボード１８が支持材としての機能をもつとともに、横一直線状に配置された各鋼製間柱１４〜１６と、それらを互いに固定する石膏ボード１７，１８によって一体化され、一定の強度を保つことができる。このため、従来例（図１７）と比較すると、交差部に５本のスタッド５９を配置していたのに対し、３本の鋼製間柱で形成することができる。つまり、鋼製間仕切り壁Ｍの強度を維持した上で、鋼製間柱の配置数を減らし、部材コスト減を図ることが可能になる。さらに、鋼製間柱の配置数を減らすことにより施工工程も簡略化され、施工性の向上および工期の短縮も図ることができる。
【００３５】
また、第１実施形態と同様に、鋼製ランナー１２，１３は溝型状であり、鋼製ランナー１２，１３の片側の端部が切り欠き状に形成されている。このように形成することで、フランジＦ間に鋼製間柱１５および鋼製間柱１６の端部を切り欠き部Ｄからスライドさせて立設することが可能となり、施工工程の簡略化を図ることができる。
【００３６】
また、石膏ボード１７は鋼製間柱１６と、石膏ボード１８は鋼製間柱１５と予め固定してから配置されている。このような施工手順とすることで、Ｔ字状交差部に石膏ボード１７および石膏ボード１８を容易に差し込む形態とすることができ上、各鋼製間柱１５，１６と確実に固定できるため効率よく施工することができる。
【００３７】
次に、本発明の第３実施形態を示す。図８〜１０は本発明に係る鋼製間仕切り壁の十字状接合部の接合工程を示す平面図である。第３実施形態では、居室間を区画する箇所に鋼製間仕切り壁Ｍを配置する際、鋼製間仕切り壁Ｍが平面十字状に交差する部分の接合形態の実施例を示す。
【００３８】
図８〜１０に示す平面十字状に交差された鋼製間仕切り壁Ｍは、ウェブＷおよびフランジＦからなる溝型状の鋼製ランナー３１〜３３と、鋼製ランナー３１〜３３間に立設される角筒状の鋼製間柱３４〜３６と、各鋼製間柱３４〜３６の両側面および鋼製ランナー３１〜３３の両側のフランジＦを覆う複数の石膏ボード３７〜４２と、各石膏ボード３７〜４２を鋼製間柱３４〜３６にそれぞれ固定する固定部材７０とによって構成されている。
【００３９】
施工手順としては、天井側（図示しない）および床側に固定された鋼製ランナー３１〜３３をそれぞれ固定し、鋼製ランナー３３の端部に鋼製間柱３６を立設して、その鋼製間柱３６に石膏ボード３７を固定部材７０で接合する。次に、鋼製ランナー３１と鋼製ランナー３２，３３が十字状に交差する部分に鋼製間柱３４を立設する。さらに、鋼製間柱３５と石膏ボード３８を固定部材７０で接合してから、図９のように鋼製ランナー３２の端部と鋼製間柱３４の間に配置する。
【００４０】
最後に、鋼製ランナー３２の両側に石膏ボード３９，４０を鋼製間柱３５に対して固定部材７０で接合し、鋼製ランナー３３の両側に石膏ボード４１，４２を鋼製間柱３６に対して固定部材７０で接合する。また、石膏ボード３９，４０は石膏ボード３８に突き当たる形態で接合され、石膏ボード４１，４２は石膏ボード３７と突き当たる形態で接合されている。以上のような施工手順により、平面十字状の交差部に第１の壁Ａと第２の壁Ｂと第３の壁Ｃ（図１０）が形成される。
【００４１】
従って、十字状に交差する部分に横一直線状に配置された各鋼製間柱３４〜３６と、石膏ボード３７，３８が支持材としての機能をもつことになり、一定の強度を保つことが可能となる。このため、従来例（図１８）と比較すると、交差部に５本のスタッド５９を配置していたのに対し、３本の鋼製間柱で形成することができる。つまり、鋼製間仕切り壁Ｍの強度を維持した上で、鋼製間柱の配置数を減らし、部材コスト減を図ることが可能になる。さらに、鋼製間柱の配置数を減らすことにより施工工程も簡略化され、施工性の向上および工期の短縮も図ることができる。
【００４２】
また、第１実施形態と同様に、鋼製ランナー３２，３３は溝型状であり、鋼製ランナー３２，３３の片側の端部が切り欠き状に形成されている。このように形成することで、フランジＦ間に鋼製間柱３５および鋼製間柱３６の端部を切り欠き部Ｄからスライドさせて立設することが可能となり、施工工程の簡略化を図ることができる。
【００４３】
また、石膏ボード３７は鋼製間柱３６と、石膏ボード３８は鋼製間柱３５と予め固定してから配置されている。このような施工手順とすることで、十字状交差部に石膏ボード３７および石膏ボード３８を容易に差し込む形態とすることができ上、各鋼製間柱３５，３６と確実に固定できるため効率よく施工することができる。
【００４４】
図１２は本発明の第４実施形態を示す平面図である。この実施形態では、第１の実施形態と同様に第１の壁と第２の壁が平面Ｌ字状に交差する壁に適用したものである。
【００４５】
即ち、図１２に示すように、平面Ｌ字状に交差された鋼製間仕切り壁は、ウェブおよびフランジからなる溝型状の鋼製ランナー１，２と、鋼製ランナー１，２間に立設される角筒状の鋼製間柱３，４と、各鋼製間柱３，４の両側面および鋼製ランナー１，２の両側のフランジを覆う複数の石膏ボード５〜８と、各石膏ボード５〜８を鋼製間柱３，４にそれぞれ固定するビスや釘等（以下、固定部材）とによって構成されている。
【００４６】
具体的には、第１の壁Ａは、その端部に配置された第１鋼製間柱３と、その第１鋼製間柱３の外側に位置する第１面材５と、第１鋼製間柱の内側に位置する第２面材６とを備えている。第２の壁Ｂは、その端部に配置された第２鋼製間柱４と、その第２鋼製間柱４の外側に位置する第３面材７と、第２鋼製間柱４の内側に位置する第４面材８とを備えている。そして、交差部には、第１鋼製間柱３と第２鋼製間柱４とが交差部において側面同士を接合する形態で配置されている。第１面材５は第３面材７に対して入り隅の関係（出隅でもよい）で接合されている。第２面材６は第４面材８に対して入り隅（出隅でも良い）の関係で接合されている。第２面材６及び第４面材８は、第１構成間柱３に添わせた野縁状の当て木９１、９１に対して釘やビス等でそれぞれ固定されている。なお、この実施の形態においても、第１の実施形態とほぼ同様の効果が得られる。
【００４７】
図１３は、本発明の第５実施の形態を示す平面図である。この実施の形態においても、第１の壁Ａと第２の壁Ｂが平面Ｌ字状に交差する交差部を有する鋼製間仕切り壁の構造に適用した例である。
【００４８】
即ち、図１３に示すように、平面Ｌ字状に交差された鋼製間仕切り壁は、ウェブおよびフランジからなる溝型状の鋼製ランナー１，２と、鋼製ランナー１，２間に立設される四角形の木製間柱９０と、各間柱９０の側面およびランナーの側面を覆う複数の面材と、各面材を間柱にそれぞれ固定する固定部材とを備える。具体的には、交差部には木製間柱９０が配置され、第１の壁Ａは木製間柱９０の外側に位置する第１面材５と、木製間柱９０の内側に位置する第２面材６とを備える。第２の壁Ｂは木製間柱９０の外側に位置する第３面材７と、木製間柱９０の内側に位置する第４面材８とを備える。第２面材６及び第４面材８は木製間柱９０に添わせた当て木９１に固定されている。このように、鋼製間柱に替えて、木製間柱９０を用いることで、さらに、低コスト化、施工性の向上等を図ることができる。
【００４９】
図１４は本発明の第６実施形態を示す平面図である。この実施の形態においては、第１の壁Ａと第２の壁Ｂと第３の壁Ｃが平面Ｔ字状に交差する交差部を有する鋼製間仕切り壁に適用した例である。即ち、鋼製ランナー１１、１２、１３間に立設される二つの角筒状の鋼製間柱と、各鋼製間柱の側面およびランナーの側面を覆う複数の面材と、各面材を鋼製間柱にそれぞれ固定する固定部材とを備える。
【００５０】
具体的には、第１の壁Ａはその端部に配置された当て木９１と、その当て木９１の両側に位置する第１面材１７および第２面材１８とを備える。第２の壁Ｂはその端部に配置された第１鋼製間柱１４と、その第１鋼製間柱１４の外側に位置する第３面材１９と、第１鋼製間柱１４の内側に位置する第４面材２０とを備える。第３の壁Ｃはその端部に配置された第２鋼製間柱１５と、その第２鋼製間柱１５の外側に位置する第５面材２１と、第２鋼製間柱１５の内側に位置する第６面材２２とを備える。第４面材２０は第１鋼製間柱１４に添わせた当て木９１に固定され、第６面材２２は第２鋼製間柱１５に添わせた当て木に固定されている。なお、この実施形態においても、第２実施形態とほぼ同様の効果が得られる。
【００５１】
図１５は本発明の第７実施形態を示す平面図である。この実施形態では、第６実施形態と同様に、第１の壁と第２の壁と第３の壁が平面Ｔ字状に交差する交差部を有する鋼製間仕切り壁に適用した例を示している。即ち、鋼製ランナー１１．１２．１３上に立設される複数の角形間柱と、各間柱の側面およびランナーの側面を覆う複数の面材と、各面材を前記間柱にそれぞれ固定する固定部材とを備える。
【００５２】
具体的には、交差部には木製間柱９０が配置され、第１の壁Ａはその端部に配置された当て木９１と、その当て木９１の両側に位置する第１面材１７および第２面材１８とを備え、第２の壁Ｂは木製間柱９０の外側に位置する第３面材１９と、木製間柱９０の内側に位置する第４面材２０とを備え、前記第３の壁は前記木製間柱の外側に位置する第５面材２１と、木製間柱９０の内側に位置する第６面材２２とを備え、第４面材２０及び第６面材２２はそれぞれ木製間柱９０に添わせた当て木９１に固定されている。なお、この実施形態においても、第２実施形態及び第５実施形態とほぼ同様の効果が得られる。
【００５３】
【発明の効果】
以上のように、本発明に係る鋼製間仕切りの取り付け構造によれば、鋼製間仕切り壁の交差部の取り付けを行う上で、部材コストの低減および施工性の向上を図り、さらに鋼製間仕切り壁の構造強度も維持することが可能となる。
【図面の簡単な説明】
【図１】本発明の第１実施形態に係る鋼製間仕切り壁の接合部（Ｌ字状）の接合工程を示す平面図である。
【図２】本発明の第１実施形態に係る鋼製間仕切り壁の接合部（Ｌ字状）の接合工程を示す平面図である。
【図３】本発明の第１実施形態に係る鋼製間仕切り壁の接合部（Ｌ字状）の接合工程を示す平面図である。
【図４】本発明の第２実施形態に係る鋼製間仕切り壁の接合部（Ｔ字状）の接合工程を示す平面図である。
【図５】本発明の第２実施形態に係る鋼製間仕切り壁の接合部（Ｔ字状）の接合工程を示す平面図である。
【図６】本発明の第２実施形態に係る鋼製間仕切り壁の接合部（Ｔ字状）の接合工程を示す平面図である。
【図７】本発明の第２実施形態に係る鋼製間仕切り壁の接合部（Ｔ字状）の接合工程を示す平面図である。
【図８】本発明の第３実施形態に係る鋼製間仕切り壁の接合部（十字状）の接合工程を示す平面図である。
【図９】本発明の第３実施形態に係る鋼製間仕切り壁の接合部（十字状）の接合工程を示す平面図である。
【図１０】本発明の第３実施形態に係る鋼製間仕切り壁の接合部（十字状）の接合工程を示す平面図である。
【図１１】本発明の第１〜３実施形態に係る鋼製ランナーの形状を示す斜視図である。
【図１２】本発明の第４実施形態を示す平面図である。
【図１３】本発明の第５実施形態を示す平面図である。
【図１４】本発明の第６の実施形態を示す平面図である。
【図１５】本発明の第７の実施形態を示す平面図である。
【図１６】本発明の従来の技術を示す平面図である。
【図１７】本発明の従来の技術を示す平面図である。
【図１８】本発明の従来の技術を示す平面図である。
【符号の説明】
１，２，１１〜１３，３１〜３３  鋼製ランナー
３，４，１４〜１６，３４〜３６  鋼製間柱
５〜８，１８〜２２，３９〜４２  石膏ボード
５０，６０  床ランナー
５１〜５８  面材
５９  スタッド
７０  固定部材
８０  釘
Ａ  第１の壁
Ｂ  第２の壁
Ｃ  第３の壁
Ｄ  切り欠き部
Ｆ  フランジ
Ｍ  鋼製間仕切り壁
Ｗ  ウェブ
【図１】
2004156404.tif 000003
【図２】
2004156404.tif 000004
【図３】
2004156404.tif 000005
【図４】
2004156404.tif 000006
【図５】
2004156404.tif 000007
【図６】
2004156404.tif 000008
【図７】
2004156404.tif 000009
【図８】
2004156404.tif 000010
【図９】
2004156404.tif 000011
【図１０】
2004156404.tif 000012
【図１１】
2004156404.tif 000013
【図１２】
2004156404.tif 000014
【図１３】
2004156404.tif 000015
【図１４】
2004156404.tif 000016
【図１５】
2004156404.tif 000017
【図１６】
2004156404.tif 000018
【図１７】
2004156404.tif 000019
【図１８】
2004156404.tif 000020